(57)【特許請求の範囲】
【請求項１】
電磁波により電力の供給を受けることと、無線通信によりデータ転送を行うこととが可能な通信装置と、電磁波により電力を供給することと、無線通信によりデータ転送を行うこととのうちの少なくとも一方が可能な他の通信装置とを備える通信システムにおいて、
前記通信装置は、
電磁波により非接触で供給される電力を受け取る受電手段と、
無線通信によりデータ転送を行う無線通信手段と、
前記受電手段に電力を供給する電磁波に重畳された情報、および、前記無線通信手段による無線通信で受信された情報の両方の情報を受信可能であり、いずれか一方を受信したときに、その受信した情報に基づいて、前記他の通信装置が、電磁波により電力を供給することのみが可能な第１の装置、無線通信によりデータ転送を行うことのみが可能な第２の装置、または、電磁波により電力を供給することと無線通信によりデータ転送を行うこととの両方が可能な第３の装置の３種類の装置のうちのいずれであるかを判定する判定手段と
を備え、
前記判定手段により、前記他の通信装置が第１の装置であると判定された場合、前記受電手段が、前記他の通信装置からの電磁波により非接触で供給される電力を受け取り、
前記判定手段により、前記他の通信装置が第２の装置であると判定された場合、前記無線通信手段が、前記他の通信装置との無線通信によりコンテンツのデータ転送を行い、
前記判定手段により、前記他の通信装置が第３の装置であると判定された場合、前記受電手段が、前記他の通信装置からの電磁波により非接触で供給される電力を受け取るとともに、前記無線通信手段が、前記他の通信装置との無線通信によりコンテンツのデータ転送を行う
通信システム。
【請求項２】
電磁波により電力の供給を受けることと、無線通信によりデータ転送を行うことが可能な通信装置において、
電磁波により非接触で供給される電力を受け取る受電手段と、
無線通信によりデータ転送を行う無線通信手段と、
前記受電手段に電力を供給する電磁波に重畳された情報、および、前記無線通信手段による無線通信で受信された情報の両方の情報を受信可能であり、いずれか一方を受信したときに、その受信した情報に基づいて、電磁波により電力を供給することと、無線通信によりデータ転送を行うこととのうちの少なくとも一方が可能な他の通信装置が、電磁波により電力を供給することのみが可能な第１の装置、無線通信によりデータ転送を行うことのみが可能な第２の装置、または、電磁波により電力を供給することと無線通信によりデータ転送を行うこととの両方が可能な第３の装置の３種類の装置のうちのいずれであるかを判定する判定手段と
を備え、
前記判定手段により、前記他の通信装置が第１の装置であると判定された場合、前記受電手段が、前記他の通信装置からの電磁波により非接触で供給される電力を受け取り、
前記判定手段により、前記他の通信装置が第２の装置であると判定された場合、前記無線通信手段が、前記他の通信装置との無線通信によりコンテンツのデータ転送を行い、
前記判定手段により、前記他の通信装置が第３の装置であると判定された場合、前記受電手段が、前記他の通信装置からの電磁波により非接触で供給される電力を受け取るとともに、前記無線通信手段が、前記他の通信装置との無線通信によりコンテンツのデータ転送を行う
通信装置。
【請求項３】
前記通信装置の動作に必要な電力を供給する電池と、
前記第２の装置との無線通信によりデータ転送されるコンテンツのデータサイズを取得するデータサイズ取得手段と、
前記電池の残容量として、前記データサイズ取得手段が取得したデータサイズのコンテンツのデータ転送に必要な残容量が残っているか否かを判定するデータ転送判定手段と
をさらに備え、
前記データ転送判定手段により、コンテンツのデータ転送に必要な残容量が残っていると判定された場合にのみ、前記無線通信手段は、前記他の通信装置との無線通信によりコンテンツのデータ転送を行う
請求項２に記載の通信装置。
【請求項４】
前記データ転送判定手段により、コンテンツのデータ転送に必要な残容量が残っていないと判定された場合に、警告をする警告手段
をさらに備える請求項３に記載の通信装置。
【請求項５】
前記他の通信装置が、第１または第３の装置である場合に、前記電池が満充電であるか否かを判定する満充電判定手段と、
前記満充電判定手段により、前記電池が満充電でないと判定された場合に、前記他の装置に、充電を要求をする要求手段と
をさらに備え、
前記受電手段は、前記充電の要求に応じて、前記他の通信装置が出力する電磁波により非接触で供給される電力を受け取り、前記電池を充電する
請求項２に記載の通信装置。
【請求項６】
前記受電手段が電力を受け取り中である旨、または、前記無線通信手段がデータ転送中である旨を、ユーザに通知する通知手段
をさらに備える請求項２に記載の通信装置。
【請求項７】
電磁波により非接触で供給される電力を受け取る受電手段と、無線通信によりデータ転送を行う無線通信手段とを備えた通信装置の通信方法において、
前記受電手段に電力を供給する電磁波に重畳された情報、および、前記無線通信手段による無線通信で受信された情報の両方の情報を受信可能であり、いずれか一方を受信したときに、その受信した情報に基づいて、電磁波により電力を供給することと、無線通信によりデータ転送を行うこととのうちの少なくとも一方が可能な他の通信装置が、電磁波により電力を供給することのみが可能な第１の装置、無線通信によりデータ転送を行うことのみが可能な第２の装置、または、電磁波により電力を供給することと無線通信によりデータ転送を行うこととの両方が可能な第３の装置の３種類の装置のうちのいずれであるかを判定するステップを含み、
前記他の通信装置が第１の装置であると判定された場合、前記受電手段が、前記他の通信装置からの電磁波により非接触で供給される電力を受け取り、
前記他の通信装置が第２の装置であると判定された場合、前記無線通信手段が、前記他の通信装置との無線通信によりコンテンツのデータ転送を行い、
前記他の通信装置が第３の装置であると判定された場合、前記受電手段が、前記他の通信装置からの電磁波により非接触で供給される電力を受け取るとともに、前記無線通信手段が、前記他の通信装置との無線通信によりコンテンツのデータ転送を行う
ステップを含む通信方法。
【請求項８】
電磁波により非接触で供給される電力を受け取る受電手段と、無線通信によりデータ転送を行う無線通信手段とを備えた通信装置が内蔵するコンピュータに実行させるプログラムにおいて、
前記受電手段に電力を供給する電磁波に重畳された情報、および、前記無線通信手段による無線通信で受信された情報の両方の情報を受信可能であり、いずれか一方を受信したときに、その受信した情報に基づいて、電磁波により電力を供給することと、無線通信によりデータ転送を行うこととのうちの少なくとも一方が可能な他の通信装置が、電磁波により電力を供給することのみが可能な第１の装置、無線通信によりデータ転送を行うことのみが可能な第２の装置、または、電磁波により電力を供給することと無線通信によりデータ転送を行うこととの両方が可能な第３の装置の３種類の装置のうちのいずれであるかを判定するステップを含み、
前記他の通信装置が第１の装置であると判定された場合、前記受電手段が、前記他の通信装置からの電磁波により非接触で供給される電力を受け取り、
前記他の通信装置が第２の装置であると判定された場合、前記無線通信手段が、前記他の通信装置との無線通信によりコンテンツのデータ転送を行い、
前記他の通信装置が第３の装置であると判定された場合、前記受電手段が、前記他の通信装置からの電磁波により非接触で供給される電力を受け取るとともに、前記無線通信手段が、前記他の通信装置との無線通信によりコンテンツのデータ転送を行う
通信処理をコンピュータに実行させるプログラム。
【発明の詳細な説明】
【技術分野】
【０００１】
本発明は、通信システム、通信装置、通信方法、並びにプログラムに関し、特に、非接触で供給される電力の受け取り、無線通信によるデータ転送、または、非接触で供給される電力の受け取りと無線通信によるデータ転送との両方を、通信相手に応じてそれぞれ行うことができるようにした通信システム、通信装置、通信方法、並びにプログラムに関する。
【背景技術】
【０００２】
従来、例えば、ハードディスクドライブやフラッシュメモリなどの記憶装置を内蔵した携帯型音楽プレーヤ（例えば、iPod（登録商標）やwalkman（登録商標））などの携帯機器は、USB（Universal Serial Bus）ケーブルなどを介してパーソナルコンピュータに接続することができ、そのUSBケーブルを介して、パーソナルコンピュータから画像や音楽などのコンテンツの転送を受け、または充電することができる。
【０００３】
また、例えば、携帯機器が載置されると電気的な接点により携帯機器と接続されるクレードル（充電台）が用意されている場合には、ユーザは、パーソナルコンピュータにクレードルを接続して、そのクレードルに携帯機器を載置することで、クレードルを介して、携帯機器にコンテンツを転送し、または携帯機器を充電することができる。
【０００４】
以上のように、携帯機器にコンテンツを転送し、または携帯機器を充電するには、ケーブルを携帯機器に接続するか、クレードルに携帯機器を載置する必要がある。
【０００５】
これに対し、例えば、クレードルに携帯機器を載置して電気的な接点によりクレードルと携帯機器とを接続させることなく、クレードルと携帯機器とを近接させて、クレードルから携帯機器に電力を非接触で供給する技術もある。
【０００６】
例えば、特許文献１には、クレードルから携帯機器に電力を非接触で供給し、その携帯機器から他の携帯機器に電力を非接触で供給する技術が記載されている。
【０００７】
また、特許文献１に記載されている技術によれば、例えば、電力の供給に用いられるコイルを介して、携帯機器どうしが通信し、電力の供給の制御に用いられる制御情報を交換して、この制御情報に基づいて、電力の供給が行われている。しかしながら、携帯機器どうしで交換される制御情報は、画像や音楽などのコンテンツと比較してデータ量が小さく、電力の供給に用いられるコイルを介して、データ量が大きなコンテンツなどの転送を行うことは困難である。また、この技術では、携帯機器どうしは、電力の供給に伴って通信するため、携帯機器どうしが、電力の供給を伴うことなく通信することは難しい。
【０００８】
また、特許文献２には、電力の供給に用いられるコイルとは別の無線通信用のアンテナを介して、クレードルと携帯機器が、電力の供給を制御するための制御情報を交換し、クレードルから携帯機器に電力を非接触で供給する技術が記載されている。
【０００９】
しかしながら、特許文献２に記載されている技術においては、携帯機器どうしにおいて、データ量が大きなコンテンツなどの転送を行うことは想定されてなく、電力の供給が目的となっている。
【特許文献１】特開２００５−１４３１８１号公報
【特許文献２】特許第３３４４５９３号
【発明の開示】
【発明が解決しようとする課題】
【００１０】
上述したように、クレードルと携帯機器とを近接させ、または携帯機器どうしを近接させて、電力を供給する技術は開示されているが、電力の供給とコンテンツの転送との両方を行う技術は開示されていなかった。
【００１１】
また、例えば、携帯機器とクレードルとを近接させたときには、電力の供給とコンテンツの転送との両方を行い、携帯機器どうしを近接させたときには、コンテンツの転送のみを行うなど、通信相手に応じて、電力の供給とコンテンツの転送とを切り替えて行う技術の提供が要請されていた。
【００１２】
本発明は、このような状況に鑑みてなされたものであり、非接触で供給される電力の受け取り、無線通信によるデータ転送、または、非接触で供給される電力の受け取りと無線通信によるデータ転送との両方を、通信相手に応じてそれぞれ行うことができるようにするものである。
【課題を解決するための手段】
【００１３】
本発明の第１の側面の通信システムは、電磁波により電力の供給を受けることと、無線通信によりデータ転送を行うこととが可能な通信装置と、電磁波により電力を供給することと、無線通信によりデータ転送を行うこととのうちの少なくとも一方が可能な他の通信装置とを備える通信システムであって、前記通信装置は、電磁波により非接触で供給される電力を受け取る受電手段と、無線通信によりデータ転送を行う無線通信手段と、前記受電手段に電力を供給する電磁波に重畳された情報、および、前記無線通信手段による無線通信で受信された情報の両方の情報を受信可能であり、いずれか一方を受信したときに、その受信した情報に基づいて、前記他の通信装置が、電磁波により電力を供給することのみが可能な第１の装置、無線通信によりデータ転送を行うことのみが可能な第２の装置、または、電磁波により電力を供給することと無線通信によりデータ転送を行うこととの両方が可能な第３の装置の３種類の装置のうちのいずれであるかを判定する判定手段とを備え、前記判定手段により、前記他の通信装置が第１の装置であると判定された場合、前記受電手段が、前記他の通信装置からの電磁波により非接触で供給される電力を受け取り、前記判定手段により、前記他の通信装置が第２の装置であると判定された場合、前記無線通信手段が、前記他の通信装置との無線通信によりコンテンツのデータ転送を行い、前記判定手段により、前記他の通信装置が第３の装置であると判定された場合、前記受電手段が、前記他の通信装置からの電磁波により非接触で供給される電力を受け取るとともに、前記無線通信手段が、前記他の通信装置との無線通信によりコンテンツのデータ転送を行う。
【００１４】
本発明の第１の側面においては、通信装置は、電磁波により非接触で供給される電力を受け取る受電手段と、無線通信によりデータ転送を行う無線通信手段とを備える。また、通信装置では、受電手段に電力を供給する電磁波に重畳された情報、および、無線通信手段による無線通信で受信された情報の両方の情報を受信可能であり、いずれか一方を受信したときに、その受信した情報に基づいて、他の通信装置が、電磁波により電力を供給することのみが可能な第１の装置、無線通信によりデータ転送を行うことのみが可能な第２の装置、または、電磁波により電力を供給することと無線通信によりデータ転送を行うこととの両方が可能な第３の装置の３種類の装置のうちのいずれであるかが判定される。そして、他の通信装置が第１の装置であると判定された場合、受電手段が、他の通信装置からの電磁波により非接触で供給される電力を受け取る。一方、他の通信装置が第２の装置であると判定された場合、無線通信手段が、他の通信装置との無線通信によりコンテンツのデータ転送を行う。一方、他の通信装置が第３の装置であると判定された場合、受電手段が、他の通信装置からの電磁波により非接触で供給される電力を受け取るとともに、無線通信手段が、他の通信装置との無線通信によりコンテンツのデータ転送を行う。
【００１５】
本発明の第２の側面の通信装置は、電磁波により電力の供給を受けることと、無線通信によりデータ転送を行うことが可能な通信装置であって、電磁波により非接触で供給される電力を受け取る受電手段と、無線通信によりデータ転送を行う無線通信手段と、前記受電手段に電力を供給する電磁波に重畳された情報、および、前記無線通信手段による無線通信で受信された情報の両方の情報を受信可能であり、いずれか一方を受信したときに、その受信した情報に基づいて、電磁波により電力を供給することと、無線通信によりデータ転送を行うこととのうちの少なくとも一方が可能な他の通信装置が、電磁波により電力を供給することのみが可能な第１の装置、無線通信によりデータ転送を行うことのみが可能な第２の装置、または、電磁波により電力を供給することと無線通信によりデータ転送を行うこととの両方が可能な第３の装置の３種類の装置のうちのいずれであるかを判定する判定手段とを備え、前記判定手段により、前記他の通信装置が第１の装置であると判定された場合、前記受電手段が、前記他の通信装置からの電磁波により非接触で供給される電力を受け取り、前記判定手段により、前記他の通信装置が第２の装置であると判定された場合、前記無線通信手段が、前記他の通信装置との無線通信によりコンテンツのデータ転送を行い、前記判定手段により、前記他の通信装置が第３の装置であると判定された場合、前記受電手段が、前記他の通信装置からの電磁波により非接触で供給される電力を受け取るとともに、前記無線通信手段が、前記他の通信装置との無線通信によりコンテンツのデータ転送を行う。
【００１６】
本発明の第２の側面の通信方法、またはプログラムは、電磁波により非接触で供給される電力を受け取る受電手段と、無線通信によりデータ転送を行う無線通信手段とを備えた通信装置の通信方法、または電磁波により非接触で供給される電力を受け取る受電手段と、無線通信によりデータ転送を行う無線通信手段とを備えた通信装置が内蔵するコンピュータに実行させるプログラムであって、前記受電手段に電力を供給する電磁波に重畳された情報、および、前記無線通信手段による無線通信で受信された情報の両方の情報を受信可能であり、いずれか一方を受信したときに、その受信した情報に基づいて、電磁波により電力を供給することと、無線通信によりデータ転送を行うこととのうちの少なくとも一方が可能な他の通信装置が、電磁波により電力を供給することのみが可能な第１の装置、無線通信によりデータ転送を行うことのみが可能な第２の装置、または、電磁波により電力を供給することと無線通信によりデータ転送を行うこととの両方が可能な第３の装置の３種類の装置のうちのいずれであるかを判定するステップを含み、前記他の通信装置が第１の装置であると判定された場合、前記受電手段が、前記他の通信装置からの電磁波により非接触で供給される電力を受け取り、前記他の通信装置が第２の装置であると判定された場合、前記無線通信手段が、前記他の通信装置との無線通信によりコンテンツのデータ転送を行い、前記他の通信装置が第３の装置であると判定された場合、前記受電手段が、前記他の通信装置からの電磁波により非接触で供給される電力を受け取るとともに、前記無線通信手段が、前記他の通信装置との無線通信によりコンテンツのデータ転送を行う。
【００１７】
本発明の第２の側面においては、通信装置には、電磁波により非接触で供給される電力を受け取る受電手段と、無線通信によりデータ転送を行う無線通信手段とが備えられている。そして、受電手段に電力を供給する電磁波に重畳された情報、および、無線通信手段による無線通信で受信された情報の両方の情報を受信可能であり、いずれか一方を受信したときに、その受信した情報に基づいて、電磁波により電力を供給することと、無線通信によりデータ転送を行うこととのうちの少なくとも一方が可能な他の通信装置が、電磁波により電力を供給することのみが可能な第１の装置、無線通信によりデータ転送を行うことのみが可能な第２の装置、または、電磁波により電力を供給することと無線通信によりデータ転送を行うこととの両方が可能な第３の装置の３種類の装置のうちのいずれであるかが判定される。他の通信装置が第１の装置であると判定された場合、受電手段が、他の通信装置からの電磁波により非接触で供給される電力を受け取る。一方、他の通信装置が第２の装置であると判定された場合、無線通信手段が、他の通信装置との無線通信によりコンテンツのデータ転送を行う。一方、他の通信装置が第３の装置であると判定された場合、受電手段が、他の通信装置からの電磁波により非接触で供給される電力を受け取るとともに、無線通信手段が、他の通信装置との無線通信によりコンテンツのデータ転送を行う。
【発明の効果】
【００１８】
本発明の第１および第２の側面によれば、非接触で供給される電力の受け取り、無線通信によるデータ転送、または、非接触で供給される電力の受け取りと無線通信によるデータ転送との両方を、通信相手に応じてそれぞれ行うことができる。
【発明を実施するための最良の形態】
【００１９】
以下に本発明の実施の形態を説明する。
【００２７】
以下、本発明を適用した具体的な実施の形態について、図面を参照しながら詳細に説明する。
【００２８】
図１は、本発明を適用した通信システム（システムとは、複数の装置が論理的に結合したもの物をいい、各構成の装置が同一筐体中にあるか否かは問わない）の一実施の形態の構成例を示すブロック図である。
【００２９】
図１において、通信システムは、例えば、パーソナルコンピュータとクレードルとが組み合わされた通信装置１１、および、携帯型音楽プレーヤや、携帯電話機、ディジタルカメラなどの携帯型装置１２から構成される。
【００３０】
通信装置１１は、例えば、プラグ２１、電源整流部２２、送電部２３、コイル２４、コンテンツ記憶部２５、通信部２６、通信アンテナ２７、操作部２８、出力部２９、制御情報記憶部３０、および制御部３１から構成される。
【００３１】
プラグ２１は、例えば、電力を供給する交流電源のコンセント（図示せず）に接続され、交流電源から供給される電力を電源整流部２２に供給する。
【００３２】
電源整流部２２は、プラグ２１から供給される電力を整流し、送電部２３に供給する。また、電源整流部２２は、送電部２３以外の通信装置１１を構成する各部にも電力を供給する。但し、図１では、電源整流部２２が送電部２３以外の各部に電力を供給することを示す線の図示は、省略してある。
【００３３】
送電部２３は、制御部３１の制御に基づき、電源整流部２２から供給された電力をコイル２４に供給し、コイル２４から電磁波を出力させ、携帯型装置１２に電力を供給する。また、送電部２３は、制御部３１の制御に基づき、コイル２４から出力される電磁波に、所定の情報（信号）を重畳させて、即ち、電磁波をキャリアとして、所定の情報によって、そのキャリアとしての電磁波を変調して、所定の情報を携帯型装置１２に送信する。
【００３４】
ここで、送電部２３は、携帯型装置１２に電力を非接触で供給するための電磁波と、所定の情報を携帯型装置１２に送信するための電磁波とを、それぞれ同じパワーでコイル２４から出力させることができるが、それぞれ異なるパワーでコイル２４から出力させることもできる。即ち、送電部２３は、所定の情報を携帯型装置１２に送信するための電磁波を、携帯型装置１２に電力を非接触で供給するための電磁波より小さなパワーで、例えば、後述する携帯型装置１２の受電部４２が検出することができる程度の比較的小さなパワーで、コイル２４から出力させることができる。
【００３５】
また、送電部２３は、後述するように携帯型装置１２の受電部４２が出力する電磁波に重畳されて送信されてくる情報を受信し、制御部３１に供給する。
【００３６】
コイル２４は、送電部２３から供給される電力により電磁波を出力し、電磁誘導により、携帯型装置１２（の後述するコイル４１）に電力を非接触で供給するとともに、電磁波に重畳された所定の情報を携帯型装置１２に送信する。
【００３７】
コンテンツ記憶部２５は、画像、音声、またはテキストなどからなるコンテンツを記憶する。また、コンテンツ記憶部２５は、自身が記憶しているコンテンツに関する情報であるコンテンツ関連情報も記憶する。コンテンツ関連情報には、例えば、コンテンツのデータサイズや、ファイル名などの情報が含まれている。
【００３８】
通信部２６は、例えば、UWB(Ultra Wide Band)や、BlueTooth（登録商標）などで規定される通信方式で、制御部３１の制御に基づき、例えば、携帯型装置１２（の後述する通信部４６）と無線通信をする。例えば、通信部２６は、制御部３１の制御に基づき、コンテンツ記憶部２５に記憶されているコンテンツを読み出して、無線で、携帯型装置１２に送信する。また、通信部２６は、携帯型装置１２との通信により携帯型装置１２から送信されてくる情報を受信し、制御部３１に供給する。
【００３９】
通信アンテナ２７は、携帯型装置１２との無線通信において用いられるアンテナである。
【００４０】
操作部２８は、キーボードやマウスなどからなり、例えば、電力の供給を開始するときや、コンテンツの送信を開始するときなどに、ユーザにより操作され、ユーザの操作に応じた操作信号を制御部３１に供給する。
【００４１】
出力部２９は、例えば、LED（Light Emitting Diode）や、ディスプレイ、スピーカなどから構成されている。例えば、通信装置１１が携帯型装置１２に電力を供給しているときや、通信装置１１が携帯型装置１２にコンテンツを送信しているときなどに、出力部２９は、制御部３１の制御に応じて、LEDを点灯させ、ディスプレイに文字を表示させ、または、スピーカから音声を出力させることにより、電力の供給中である旨や、コンテンツの送信中である旨などをユーザに通知する。
【００４２】
また、例えば、出力部２９を構成するディスプレイは、コンテンツ記憶部２５に記憶されているコンテンツのリストを表示する。そして、ユーザは、操作部２８を操作して、ディスプレイに表示されているコンテンツを選択して、そのコンテンツを携帯型装置１２に送信させることができる。
【００４３】
制御情報記憶部３０には、通信装置１１の仕様などを示す装置情報が記憶されている。
【００４４】
ここで、例えば、ある装置の装置情報には、その装置が他の装置に非接触で電力を供給することができるか否かや、他の装置と無線通信によるデータ転送を行うことができるか否かを示す情報が含まれている。また、ある装置の装置情報には、その装置を製造したメーカの名称、その装置の型番、または、その装置を特定するための識別ＩＤ（IDentification）などを示す情報も含まれている。
【００４５】
例えば、制御情報記憶部３０に記憶されている通信装置１１の装置情報には、通信装置１１が電力を非接触で供給することができることを示す情報と、通信装置１１が無線通信によりデータ転送を行うことができることを示す情報とが含まれている。
【００４６】
制御部３１は、CPU（Central Processing Unit）３２およびメモリ３３を備える。制御部３１のメモリ３３には、CPU３２が実行するプログラムや、CPU３２がプログラムを実行する上で必要なデータなどが記憶されており、CPU３２が、メモリ３３に記憶されているプログラムを実行することにより、制御部３１は、通信装置１１を構成する各部を制御する。
【００４７】
なお、通信装置１１の制御部３１のメモリ３２に記憶されているプログラムは、例えば、通信部２６を介して接続された図示せぬネットワークを介してダウンロードして、または、プログラムが記録されたリムーバブルメディアから読み出して、インストールすることができる。
【００４８】
例えば、制御部３１は、ユーザの操作に応じて、通信部２６を制御し、コンテンツ記憶部２５に記憶されているコンテンツを、携帯型装置１２に送信させる。
【００４９】
また、制御部３１は、携帯型装置１２にコンテンツを送信する前に、送電部２３を制御し、制御情報記憶部３０に記憶されている装置情報を、コイル２４を介して、携帯型装置１２に送信させる。そして、携帯型装置１２が、通信装置１１からの装置情報の送信に応答して、携帯型装置１２に供給される電力の制御に用いられる電力制御情報を送信し、送電部２３が、携帯型装置１２の電力制御情報を受信して制御部３１に供給すると、制御部３１は、携帯型装置１２の電力制御情報に基づいて、送電部２３を制御し、携帯型装置１２に電力を供給させる。
【００５０】
携帯型装置１２は、コイル４１、受電部４２、充電処理部４３、充電池４４、通信アンテナ４５、通信部４６、コンテンツ記憶部４７、操作部４８、出力部４９、制御情報記憶部５０、および制御部５１から構成される。
【００５１】
コイル４１は、通信装置１１のコイル２４から出力される電磁波による電磁誘導により、通信装置１１から供給される電力を非接触で受け取り、受電部４２に供給する。
【００５２】
受電部４２は、コイル４１から供給された電力を、充電処理部４３に供給する。また、通信装置１１の送電部２３が、所定の情報（信号）が重畳された電磁波を出力させている場合には、受電部４２は、その電磁波から所定の情報を分離し、即ち、所定の情報で変調された電磁波を復調することにより、所定の情報を得て、制御部５１に供給する。
【００５３】
また、受電部４２は、制御部５１の制御に基づき、送電部２３が検出することができる程度の比較的小さなパワーの電磁波をコイル４１から出力させ、携帯型装置１２に供給される電力の制御に用いられる電力制御情報を電磁波に重畳して、通信装置１１に送信することができる。なお、受電部４２は、通信装置１１の送電部２３とは異なり、他の装置に電力を供給することができるパワーの電磁波を、コイル４１から出力させることはできない。
【００５４】
充電処理部４３は、受電部４２から供給された電力を充電池４４に供給し、充電池４４を充電する。また、充電処理部４３は、制御部５１の制御に基づき、充電池４４の残容量を検出し、充電池４４の残容量を示す充電量情報を、受電部４２を介して、制御部５１に供給する。
【００５５】
充電池４４は、充電可能な電池であり、携帯型装置１２を構成する各ブロックに対して、動作に必要な電力を供給する。
【００５６】
通信アンテナ４５は、通信装置１１との無線通信において用いられるアンテナである。
【００５７】
通信部４６は、制御部５１の制御に基づき、例えば、通信装置１１の通信部２６と無線通信をする。例えば、通信部４６は、通信装置１１から通信装置１１の装置情報が送信されてくると、通信装置１１の装置情報を受信して制御部５１に供給し、また、通信装置１１からコンテンツが送信されてくると、そのコンテンツを受信してコンテンツ記憶部４７に供給して記憶させる。
【００５８】
コンテンツ記憶部４７は、通信部４６から供給されたコンテンツを記憶する。
【００５９】
操作部４８は、ユーザにより操作され、ユーザの操作に応じた操作信号を制御部５１に供給する。
【００６０】
出力部４９は、通信装置１１の出力部２９と同様に、例えば、LEDや、ディスプレイ、スピーカなどから構成されている。例えば、携帯型装置１２が通信装置１１から電力の供給を受け取っているときや、通信装置１１と携帯型装置１２とが、コンテンツのデータ転送を行っているときなどに、出力部２９は、制御部３１の制御に応じて、LEDを点灯させ、ディスプレイに文字を表示させ、または、スピーカから音声を出力させることにより、電力の受け取り中である旨や、コンテンツのデータ転送中である旨などをユーザに通知する。
【００６１】
制御情報記憶部５０には、携帯型装置１２の仕様などを示す装置情報が記憶されている。ここで、上述したように、携帯型装置１２では、受電部４２が、通信装置１１の送電部２３とは異なり、他の装置に電力を供給することができるパワーの電磁波を、コイル４１から出力させることはできないので、例えば、携帯型装置１２の装置情報には、携帯型装置１２が他の装置に電力を供給することができないことを示す情報が含まれている。また、携帯型装置１２の装置情報には、携帯型装置１２が無線通信によるデータ転送を行うことができることを示す情報が含まれている。また、制御情報記憶部５０には、充電池４４の電圧や充電容量などを示す情報も記憶されている。
【００６２】
制御部５１は、CPU５２およびメモリ５３を備え、通信装置１１の制御部３１と同様に、CPU５２がメモリ５３に記憶されているプログラムを実行することにより、携帯型装置１２を構成する各部を制御する。
【００６３】
なお、携帯型装置１２の制御部５１のメモリ５３に記憶されているプログラムは、例えば、通信部４６を介して接続された図示せぬネットワークを介してダウンロードして、プログラムが記録されたリムーバブルメディアから読み出して、または、通信部４６を介して通信装置１１から転送されて、インストールすることができる。
【００６４】
例えば、通信部４６が、通信装置１１から送信されてくる通信装置１１の装置情報を受信して制御部５１に供給すると、制御部５１は、通信装置１１の装置情報に基づいて、通信装置１１が携帯型装置１２に電力を供給することができるか否を判定する。制御部５１が、通信装置１１が携帯型装置１２に電力を供給することができると判定した場合、制御部５１は、充電処理部４３を制御して、充電池４４の充電量情報を取得させる。そして、制御部５１は、充電処理部４３が取得した充電池４４の充電量情報や、制御情報記憶部５０に記憶されている充電池４４の電圧や充電容量などを示す情報を含む電力制御情報を生成し、通信部４６を制御して、通信装置１１に送信させる。
【００６５】
以上のように構成される図１の通信システムでは、例えば、ユーザが、通信装置１１から携帯型装置１２にコンテンツを送信するように、操作部２８を操作すると、通信装置１１から携帯型装置１２にコンテンツが送信される。また、通信装置１１から携帯型装置１２にコンテンツが送信される前に、通信装置１１の装置情報が携帯型装置１２に送信され、携帯型装置１２の電力制御情報が通信装置１１に送信されて、携帯型装置１２の電力制御情報に基づいて、通信装置１１から携帯型装置１２に電力が供給される。
【００６６】
また、携帯型装置１２は、通信装置１１と通信して、通信装置１１から送信されてくるコンテンツを受信するだけでなく、例えば、他の携帯型装置と通信することにより、コンテンツを互いに送受信することができる。
【００６７】
次に、図２は、２台の携帯型装置１２により構成される通信システムの構成例を示すブロック図である。
【００６８】
図２の通信システムは、携帯型装置１２および携帯型装置１２Ａから構成される。なお、携帯型装置１２Ａは、図１の携帯型装置１２と同様に構成されており、以下では、その詳細な説明は、適宜省略する。
【００６９】
図２の通信システムにおいては、例えば、ユーザが、携帯型装置１２Ａから携帯型装置１２にコンテンツを送信するように、携帯型装置１２Ａの操作部４８Ａを操作すると、携帯型装置１２Ａから携帯型装置１２にコンテンツが送信される前に、携帯型装置１２Ａが他の装置に電力を供給することができないことを示す装置情報が、携帯型装置１２に送信される。そして、携帯型装置１２と携帯型装置１２Ａとにおいては、互いに電力のやり取りが行われることなく、携帯型装置１２Ａから携帯型装置１２にコンテンツが送信される。
【００７０】
このように、携帯型装置１２は、通信装置１１と通信することができるとともに、携帯型装置１２どうしで通信することができる。さらに、携帯型装置１２は、コンテンツを送信せずに、電力の供給のみを行うクレードルとも通信し、電力の供給を受けることができる。
【００７１】
次に、図３は、携帯型装置１２と、電力の供給のみを行うクレードル６１とから構成される通信システムの構成例を示す図である。
【００７２】
図３のクレードル６１は、プラグ６２、電源整流部６３、送電部６４、コイル６５、制御情報記憶部６６、並びに、CPU６８およびメモリ６９を有する制御部６７から構成される。なお、クレードル６１を構成するプラグ６２、電源整流部６３、送電部６４、コイル６５、制御情報記憶部６６、または制御部６７は、図１の通信装置１１を構成するプラグ２１、電源整流部２２、送電部２３、コイル２４、制御情報記憶部３０、または制御部３１と、それぞれ同様に構成されており、その説明は省略する。
【００７３】
但し、クレードル６１の制御情報記憶部６６に記憶されているクレードル６１の装置情報には、クレードル６１が電力を非接触で供給することができることを示す情報と、クレードル６１が無線通信によりデータ転送を行うことはできないことを示す情報とが含まれている。
【００７４】
また、クレードル６１は、コイル６５から出力される電磁波に、クレードル６１の装置情報を重畳させて、携帯型装置１２に送信するが、クレードル６１が、例えば、通信部や通信用アンテナを備えていれば、その通信用アンテナを介して、携帯型装置１２に装置情報を送信することができる。
【００７５】
即ち、図４は、携帯型装置１２と、通信用アンテナを介して装置情報を送信するクレードル７１とから構成される通信システムの構成例を示す図である。
【００７６】
図４のクレードル７１は、プラグ７２、電源整流部７３、送電部７４、コイル７５、通信部７６、通信アンテナ７７、制御情報記憶部７８、並びに、CPU８０およびメモリ８１を有する制御部７９から構成される。なお、クレードル７１を構成するプラグ７２、電源整流部７３、送電部７４、コイル７５、通信部７６、通信アンテナ７７、制御情報記憶部７８、または制御部７９は、図１の通信装置１１を構成するプラグ２１、電源整流部２２、送電部２３、コイル２４、通信部２６、通信アンテナ２７、制御情報記憶部３０、または制御部３１と、それぞれ同様に構成されており、その説明は省略する。
【００７７】
次に、図５は、携帯型装置１２が行う処理を説明するフローチャートである。
【００７８】
ステップＳ１１において、携帯型装置１２の受電部４２は、他の装置の装置情報が電磁波により送信されてきたか否かを判定する。
【００７９】
ステップＳ１１において、受電部４２が、他の装置の装置情報が電磁波により送信されてきたと判定した場合、ステップＳ１２に進み、受電部４２は、他の装置から電磁波により送信されてきた装置情報を受信して、即ち、他の装置からの電磁波を、コイル４１を介して受信し、その電磁波から装置情報を分離して、制御部５１に供給し、ステップＳ１５に進む。
【００８０】
一方、ステップＳ１１において、受電部４２が、他の装置の装置情報が送信されてきていないと判定した場合、ステップＳ１３に進み、通信部４６は、他の装置の装置情報が無線通信により送信されてきたか否かを判定する。
【００８１】
ステップＳ１３において、通信部４６が、他の装置の装置情報が無線通信により送信されてきたと判定した場合、ステップＳ１４に進み、通信部４６は、無線通信により送信されてきた他の装置の装置情報を受信して、制御部５１に供給し、ステップＳ１５に進む。
【００８２】
一方、ステップＳ１３において、通信部４６が、他の装置の装置情報が無線通信により送信されてきていないと判定した場合、ステップＳ１１に戻る。即ち、携帯型装置１２は、電磁波により他の装置の装置情報が送信されてくるか、または無線通信により他の装置の装置情報が送信されてくるまで待機する。
【００８３】
ステップＳ１５において、制御部５１は、ステップＳ１２で受電部４２から供給された他の装置の装置情報、または、ステップＳ１４で通信部４６から供給された他の通信装置の装置情報に基づいて、装置情報を送信してきた他の装置が、電磁波により電力を供給することのみが可能な、例えば、図３のクレードル６１のような装置である第１の装置であるか、無線通信によりデータ転送を行うことのみが可能な、例えば、図２の携帯型装置１２Ａのような装置である第２の装置であるか、または、電磁波により電力を供給することと無線通信によりデータ転送を行うこととの両方が可能な、例えば、図１の通信装置１１のような装置である第３の装置のうちの、いずれであるかを判定する。
【００８４】
ステップＳ１５において、制御部５１が、装置情報を送信してきた他の装置が、電磁波により電力を供給することのみが可能な第１の装置であると判定した場合、ステップＳ１６に進み、制御部５１は、充電池４４の充電を行う充電処理を行い、処理を終了する。
【００８５】
例えば、図３のクレードル６１は、携帯型装置１２と近接した状態となると、電力を非接触で供給することができることを示す情報と、無線通信によりデータ転送を行うことはできないことを示す情報とが含まれている装置情報を、例えば、電磁波に重畳させて送信する。この場合、携帯型装置１２では、ステップＳ１２で、受電部４２がクレードル６１の装置情報を受信し、ステップＳ１５において、制御部５１は、クレードル６１の装置情報に基づき、クレードル６１は電磁波により電力を供給することのみが可能な第１の装置であると判定し、ステップＳ１６に進み、充電処理を行う。
【００８６】
一方、ステップＳ１５において、制御部５１が、装置情報を送信してきた他の装置が、無線通信によりデータ転送を行うことのみが可能な第２の装置であると判定した場合、ステップＳ１７に進み、制御部５１は、無線通信によりデータ転送を行うデータ転送処理を行い、処理を終了する。
【００８７】
例えば、図２の携帯型装置１２Ａは、携帯型装置１２と近接した状態となると、他の装置に電力を供給することができないことを示す情報と、無線通信によるデータ転送を行うことができることを示す情報とが含まれている装置情報を、無線通信により送信する。この場合、携帯型装置１２では、ステップＳ１４で、携帯型装置１２の通信部４６が携帯型装置１２Ａの装置情報を受信し、ステップＳ１５において、制御部５１は、携帯型装置１２Ａの装置情報に基づき、携帯型装置１２Ａは無線通信によりデータ転送を行うことのみが可能な第２の装置であると判定し、ステップＳ１７に進み、データ転送処理を行う。
【００８８】
一方、ステップＳ１５において、制御部５１が、装置情報を送信してきた他の装置が、電磁波により電力を供給することと無線通信によりデータ転送を行うこととの両方が可能な第３の装置であると判定した場合、ステップＳ１８に進み、制御部５１は、充電池４４の充電と、無線通信によりデータ転送とを行う充電およびデータ転送処理を行い、処理を終了する。
【００８９】
例えば、図１の通信装置１１は、携帯型装置１２と近接した状態となると、電力を非接触で供給することができることを示す情報と、無線通信によりデータ転送を行うことができることを示す情報とが含まれている装置情報を、電磁波に重畳させて送信する。この場合、携帯型装置１２では、ステップＳ１２で、受電部４２が通信装置１１の装置情報を受信し、ステップＳ１５において、制御部５１は、通信装置１１の装置情報に基づき、通信装置１１は電磁波により電力を供給することと無線通信によりデータ転送を行うこととの両方が可能な第３の装置であると判定し、ステップＳ１８に進み、充電およびデータ転送処理を行う。
【００９０】
次に、図６は、図５のステップＳ１６における充電処理を説明するフローチャートである。
【００９１】
図５で説明したように、ステップＳ１６の充電処理は、携帯型装置１２に近接している他の装置が、第１の装置としての図３のクレードル６１である場合に行われる。
【００９２】
ステップＳ２１において、制御部５１は、受電部４２を介して、充電処理部４３を制御し、充電池４４の残容量を示す充電量情報を取得させて、制御部５１に供給させる。
【００９３】
ステップＳ２１の処理後、ステップＳ２２に進み、制御部５１は、ステップＳ５１で充電処理部４３から供給された充電池４４の充電量情報に基づいて、充電池４４が満充電であるか否かを判定する。
【００９４】
ステップＳ２２において、制御部５１が、充電池４４が満充電でないと判定した場合、ステップＳ２３に進み、制御部５１は、ステップＳ２１で充電処理部４３から供給された充電池４４の充電量情報と、制御情報記憶部５０に記憶されている充電池４４の電圧や充電容量などを示す情報とに基づいて、携帯型装置１２に供給される電力の制御に用いられる電力制御情報を生成する。
【００９５】
そして、制御部５１は、受電部４２を制御し、携帯型装置１２と近接しているクレードル６１の送電部６４が検出できる程度の比較的小さなパワーの電磁波を出力させ、その電磁波に携帯型装置１２の電力制御情報を重畳させて、送電部６４に送信する。
【００９６】
ここで、クレードル６１では、送電部６４において、携帯型装置１２がステップＳ２３で送信した電力制御情報が受信され、制御部６７に供給される。さらにクレードル６１では、制御部６７が、携帯型装置１２からの電力制御情報に基づいて、送電部６４を制御することにより、コイル６５を介して、必要なパワーの電磁波を出力させる。
【００９７】
携帯型装置１２では、ステップＳ２４において、受電部４２が、コイル４１を介して、クレードル６１からの電磁波により供給される電力を受け取り、充電処理部４３に供給する。そして、充電処理部４３は、受電部４２から供給された電力により、充電池４４を充電する。また、制御部５１は、出力部４９を制御して、充電中である旨のメッセージなどを出力させ、充電中であることをユーザに通知する。ステップＳ２４の処理後、充電処理は終了される。
【００９８】
一方、ステップＳ２２において、制御部５１が、充電池４４が満充電であると判定した場合、携帯型装置１２は電力の供給を受けることなく、充電処理は終了される。
【００９９】
次に、図７は、図５のステップＳ１７におけるデータ転送処理を説明するフローチャートである。
【０１００】
図５で説明したように、ステップＳ１７のデータ転送処理は、携帯型装置１２に近接している他の装置が、第２の装置としての図２の携帯型装置１２Ａである場合に行われる。
【０１０１】
ステップＳ３１において、制御部５１は、データ転送の対象となるコンテンツのデータサイズを示す情報を含むコンテンツ関連情報を取得する。
【０１０２】
例えば、ユーザが、携帯型装置１２と携帯型装置１２Ａとを近接した状態にし、携帯型装置１２Ａから携帯型装置１２にコンテンツを転送することを指定するように、操作部４８Ａを操作した場合には、携帯型装置１２Ａにおいて、制御部５１Ａは、コンテンツ記憶部４７Ａに記憶されているコンテンツのうちの、ユーザにより指定されたコンテンツのコンテンツ関連情報を取得する。そして、制御部５１Ａは、通信部４６Ａを制御して、そのコンテンツ関連情報を通信部４６に送信させ、通信部４６が、通信部４６Ａから送信されてきたコンテンツ関連情報を受信して制御部５１に供給する。これにより、制御部５１は、データ転送の対象となるコンテンツのコンテンツ関連情報を取得する。
【０１０３】
ステップＳ３１の処理後、ステップＳ３２に進み、制御部５１は、受電部４２を介して充電処理部４３を制御し、充電池４４の残容量を示す充電量情報を取得させる。そして、充電処理部４３が、充電池４４の充電量情報を制御部５１に供給し、ステップＳ３３に進む。
【０１０４】
ステップＳ３３において、制御部５１は、ステップＳ３２で充電処理部４３から供給された充電池４４の充電量情報により示される充電池４４の残容量と、ステップＳ３１で取得したコンテンツ関連情報とに基づき、コンテンツのデータ転送を行うのに必要な残容量が充電池４４に残っているか否かを判定する。
【０１０５】
即ち、コンテンツ関連情報には、そのコンテンツのデータサイズを示す情報が含まれており、制御部５１は、そのデータサイズに基づいてコンテンツのデータ転送を行うのに必要な時間を算出する。そして、制御部５１は、充電池４４の残容量が、算出した結果得られた時間だけ携帯型装置１２を駆動するのに必要な量以上であれば、コンテンツのデータ転送を行うのに必要な残容量が充電池４４に残っていると判定する。一方、制御部５１は、充電池４４の残容量が、算出した結果得られた時間だけ携帯型装置１２を駆動するのに必要な量未満であれば、コンテンツのデータ転送を行うのに必要な残容量が充電池４４に残っていないと判定する。
【０１０６】
ステップＳ３３において、制御部５１が、コンテンツのデータ転送を行うのに必要な残容量が充電池４４に残っていないと判定した場合、ステップＳ３４に進み、制御部５１は、通信部４６を制御して、携帯型装置１２がコンテンツのデータ転送を行うことができないことを表す情報を、携帯型装置１２Ａに送信させ、処理を終了する。なお、この場合、制御部５１は、コンテンツのデータ転送に必要な残容量が充電池４４に残っていないことを表すメッセージを、出力部４９に供給し、例えば、出力部４９を構成するディスプレイに表示させて、ユーザに警告する。
【０１０７】
一方、ステップＳ３３において、制御部５１が、コンテンツのデータ転送を行うのに必要な残容量が充電池４４に残っていると判定した場合、ステップＳ３５に進み、携帯型装置１２Ａからコンテンツのデータ転送を行うことができないことを表す情報が送信されてきたか否かを判定する。
【０１０８】
ここで、例えば、携帯型装置１２Ａの制御部５１Ａも、制御部５１と同様に、充電池４４Ａの充電量情報を取得し、コンテンツのデータ転送を行うのに必要な残容量が充電池４４Ａに残っているか否かを判定する。そして、例えば、制御部５１Ａが、コンテンツのデータ転送を行うのに必要な残容量が充電池４４Ａに残っていないと判定した場合、制御部５１Ａは、通信部４６Ａを制御して、携帯型装置１２Ａがコンテンツのデータ転送を行うことができないことを表す情報を、携帯型装置１２に送信させる。
【０１０９】
ステップＳ３５において、制御部５１が、携帯型装置１２Ａからコンテンツのデータ転送を行うことができないことを表す情報が送信されてきていないと判定した場合、ステップＳ３６に進み、制御部５１は、通信部４６を制御して、コンテンツのデータ転送を行う。また、制御部５１は、出力部４９を制御して、データ転送中である旨のメッセージなどを出力させ、データ転送中であることをユーザに通知する。ステップＳ３６の処理後、データ転送処理は終了される。
【０１１０】
一方、ステップＳ３５において、制御部５１が、携帯型装置１２Ａからコンテンツのデータ転送を行うことができないことを表す情報が送信されてきていると判定した場合、コンテンツのデータ転送は行われずに、データ転送処理は終了される。
【０１１１】
次に、図８は、図５のステップＳ１８における充電およびデータ転送処理を説明するフローチャートである。
【０１１２】
図５で説明したように、ステップＳ１８の充電およびデータ転送処理は、携帯型装置１２に近接している他の装置が、第３の装置としての図１の通信装置１１である場合に行われる。
【０１１３】
ステップＳ４１において、携帯型装置１２は、上述の図６のフローチャートを参照して説明したように、充電処理を行い、ステップＳ４２に進む。
【０１１４】
即ち、例えば、携帯型装置１２の制御部５１は、充電処理部４３を制御して、充電池４４の充電量情報を取得し、その充電量情報に基づいて、充電池４４が満充電であるか否かを判定し、充電池４４が満充電でないと判定された場合、携帯型装置１２の電力制御情報を生成して、通信装置１１に送信する。そして、携帯型装置１２の電力制御情報に基づいて、通信装置１１から非接触で電力が供給されると、充電池４４には、受電部４２および充電処理部４３を介して、その電力が充電される。一方、充電池４４が満充電であると判定された場合、充電を行わずに充電処理は終了される。
【０１１５】
ステップＳ４２において、通信装置１１の制御部３１および携帯型装置１２の制御部５１は、データ転送の対象となるコンテンツのデータサイズを示す情報を含むコンテンツ関連情報を取得する。
【０１１６】
例えば、携帯型装置１２が通信装置１１にコンテンツを送信する場合においては、ユーザは、操作部４８を操作して、コンテンツ記憶部４７に記憶されているコンテンツのうちの、通信装置１１に送信するコンテンツを指定し、制御部５１は、ユーザにより指定されたコンテンツのコンテンツ関連情報を、通信部４６を介して、コンテンツ記憶部４７から読み出して取得する。
【０１１７】
一方、例えば、通信装置１１が携帯型装置１２にコンテンツを送信する場合においては、ユーザは、操作部２８を操作して、コンテンツ記憶部２５に記憶されているコンテンツのうちの、携帯型装置１２に送信するコンテンツを指定し、制御部３１は、ユーザにより指定されたコンテンツのコンテンツ関連情報を取得する。そして、制御部３１は、通信部２６を制御して、そのコンテンツ関連情報を通信部４６に送信させ、通信部４６が、通信部４６から送信されてきたコンテンツ関連情報を受信して制御部５１に供給する。これにより、制御部５１は、通信装置１１から送信されてくるコンテンツのコンテンツ関連情報を取得する。
【０１１８】
ステップＳ４２の処理後、ステップＳ４３に進み、制御部５１は、通信部４６を制御して、コンテンツのデータ転送を行い、処理を終了する。
【０１１９】
次に、図９は、図１の通信装置１１が行う処理を説明するフローチャートである。
【０１２０】
ユーザが、通信装置１１と携帯型装置１２とを近接させ、例えば、コンテンツ記憶部２５に記憶されている所定のコンテンツを指定し、そのコンテンツのデータ転送を行うように操作部２８を操作すると、ステップＳ５１において、操作部２８は、ユーザの操作を受け付け、ユーザの操作に応じた操作信号を制御部３１に供給する。
【０１２１】
ステップＳ５１の処理後、ステップＳ５２に進み、制御部３１は、送電部２３を制御し、コイル２４から電磁波を出力させるとともに、その電磁波に、制御情報記憶部３０に記憶されている通信装置１１の装置情報を重畳させて、携帯型装置１２に送信させる。
【０１２２】
ステップＳ５２の処理後、ステップＳ５３に進み、送電部２３は、ステップＳ５２で携帯型装置１２に送信した通信装置１１の装置情報に応答して、携帯型装置１２の電力制御情報が携帯型装置１２から送信されてきたか否かを判定する。
【０１２３】
ステップＳ５３において、送電部２３が、携帯型装置１２の電力制御情報が携帯型装置１２から送信されてきたと判定した場合、ステップＳ５４に進み、送電部２３は、携帯型装置１２の電力制御情報を受信して、制御部３１に供給し、ステップＳ５８に進む。
【０１２４】
一方、ステップＳ５３において、送電部２３が、携帯型装置１２の電力制御情報が携帯型装置１２から送信されてきていない判定した場合、ステップＳ５５に進み、制御部３１は、通信部２６を制御し、無線通信により通信装置１１の装置情報を携帯型装置１２に送信させる。
【０１２５】
ステップＳ５５の処理後、ステップＳ５６に進み、通信部２６は、ステップＳ５５で携帯型装置１２に送信した通信装置１１の装置情報に応答して、携帯型装置１２の電力制御情報が携帯型装置１２から送信されてきたか否かを判定する。
【０１２６】
ステップＳ５６において、通信部２６が、携帯型装置１２の電力制御情報が送信されてきていないと判定した場合、ステップＳ５７およびＳ５８をスキップして、ステップＳ５９に進む。
【０１２７】
一方、ステップＳ５６において、通信部２６が、携帯型装置１２の電力制御情報が送信されてきたと判定した場合、ステップＳ５７に進む。
【０１２８】
ステップＳ５７において、通信部２６は、携帯型装置１２の電力制御情報を受信して、制御部３１に供給し、ステップＳ５８に進む。
【０１２９】
ステップＳ５８において、制御部３１は、ステップＳ５４で送電部２３から供給された携帯型装置１２の電力制御情報、またはステップＳ５７で通信部２６から供給された携帯型装置１２の電力制御情報に基づいて、送電部２３を制御し、コイル２４を介して、携帯型装置１２に電力を供給させ、ステップＳ５９に進む。
【０１３０】
ステップＳ５９において、制御部３１は、データ転送の対象となるコンテンツのデータサイズを示す情報を含むコンテンツ関連情報を取得する。
【０１３１】
例えば、通信装置１１が携帯型装置１２にコンテンツを送信する場合においては、制御部３１は、ステップＳ５１で操作部２８から供給された操作信号に基づき、コンテンツ記憶部２５に記憶されているコンテンツのうちの、ユーザにより指定されたコンテンツのコンテンツ関連情報を取得する。また、制御部３１は、通信部２６を制御して、コンテンツ関連情報を携帯型装置１２に送信させ、これにより、携帯型装置１２の制御部５１に、通信装置１１が送信するコンテンツのコンテンツ関連情報を取得させる。
【０１３２】
一方、例えば、携帯型装置１２が通信装置１１にコンテンツを送信する場合においては、制御部５１が、通信部４６を制御して、通信装置１１に送信するコンテンツのコンテンツ関連情報を送信させ、通信部２６が、通信部４６から送信されてくるコンテンツ情報を受信して制御部３１に供給することにより、制御部３１は、通信装置１１から送信されてくるコンテンツのコンテンツ関連情報を取得する。
【０１３３】
ステップＳ５９の処理後、ステップＳ６０に進み、制御部３１は、通信部２６を制御して、コンテンツのデータ転送を行わせ、処理を終了する。
【０１３４】
以上のように、携帯型装置１２は、受電部４２または通信部４６が受信する他の装置の装置情報に基づいて、他の装置が、電磁波により電力を供給することのみが可能な装置、無線通信によりデータ転送を行うことのみが可能な装置、または、電磁波により電力を供給することと無線通信によりデータ転送を行うこととの両方が可能な装置のうちの、いずれであるかを判定することで、充電処理、データ転送処理、または、充電およびデータ転送処理を、他の装置に応じて行うことができる。
【０１３５】
また、携帯型装置１２は、非接触で電力の供給を受け取るとともに、無線通信により比較的にデータサイズが大きなコンテンツの転送を行うことができる。これにより、ユーザは、通信装置１１と携帯型装置１２、または携帯型装置１２どうしを近接させるだけでよく、例えば、通信装置１１と携帯型装置１２をケーブルで接続したりする手間を省くことができる。
【０１３６】
また、例えば、クレードルと携帯型装置を電気的な接点（コネクタ）で接続させる場合においては、電気的な接点が腐食することなどが原因となり、クレードルと携帯型装置との接続が接続不良となる恐れがあった。これに対し、通信装置１１から携帯型装置１２に、電力を非接触で供給するとともに、無線通信によりコンテンツのデータ転送を行う場合においては、電気的な接点が不要であり、通信装置１１と携帯型装置１２との接続が接続不良となることを回避することができる。また、例えば、携帯型装置１２の筐体に電気的な接点を配置することによるデザイン的な制約が生じることを回避することができ、また、容易に防水構造とすることができる。
【０１３７】
また、携帯型装置１２は、データ転送を行う前に、コンテンツサイズを示す情報と、充電池４４の充電量情報に基づいて、データ転送の対象となるコンテンツのデータ転送を行うことができるか否かを判定することで、データ転送を行っている途中に、電力不足によりデータ転送が中断することを回避することができる。また、電力不足であることをユーザに通知し、充電を促すことができる。
【０１３８】
なお、通信装置１１は、外部の商用電源から電力の供給を受ける以外に、直流電源から電力の供給を受けることができ、例えば、車載バッテリなどから電力の供給を受けることができる。
【０１３９】
また、通信装置１１と携帯型装置１２は、通信用アンテナ以外に、例えば、通信用のカプラを用いてコンテンツなどのデータを送受信することができる。
【０１４０】
さらに、通信装置１１または携帯型装置１２は、ホール素子などの磁気センサを設けることができる。この場合、通信装置１１と携帯型装置１２とが、互いの近接を磁気センサにより検知すると、互いに通信を開始するようにすることができる。
【０１４１】
また、携帯型装置１２は、例えば、通信装置１１とデータ転送を行うにあたり、充電池４４の残容量がほぼ空である場合には、データ転送を行うことができるだけの電力が通信装置１１から供給されるまで待機した後に、データ転送を開始するようにすることができる。
【０１４２】
なお、携帯型装置１２は、非接触での電力の供給を受けることができず、無線通信によりデータ転送ができる装置、即ち、データ転送のみが可能な装置とも、データ転送を行うことができる。この場合、携帯型装置１２は、データ転送のみが可能な装置とのデータ転送を、携帯型装置１２Ａとにおいて行われるデータ転送処理と同様の処理で、行うことができる。
【０１４３】
また、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。
【０１４４】
なお、本発明の実施の形態は、上述した実施の形態に限定されるものではなく、本発明の要旨を逸脱しない範囲において種々の変更が可能である。
【図面の簡単な説明】
【０１４５】
【図１】本発明を適用した通信システムの一実施の形態の構成例を示すブロック図である。
【図２】２台の携帯型装置１２により構成される通信システムの構成例を示すブロック図である。
【図３】携帯型装置１２と、電力の供給のみを行うクレードル６１から構成される通信システムの構成例を示す図である。
【図４】携帯型装置１２と、通信用アンテナを介して装置情報や電力供給情報の送受信を行うクレードル７１から構成される通信システムの構成例を示す図である。
【図５】携帯型装置１２が行う処理を説明するフローチャートである。
【図６】充電処理を説明するフローチャートである。
【図７】データ転送処理を説明するフローチャートである。
【図８】充電およびデータ転送処理を説明するフローチャートである。
【図９】通信装置１１が行う処理を説明するフローチャートである。
【符号の説明】
【０１４６】
１１  通信装置，  １２  携帯型装置，  ２１  プラグ，  ２２  電源整流部，  ２３  送電部，  ２４  コイル，  ２５  コンテンツ記憶部，  ２６  通信部，  ２７  通信アンテナ，  ２８  操作部，  ２９  出力部，  ３０  制御情報記憶部，  ３１  制御部，  ４１  コイル，  ４２  受電部，  ４３  充電処理部，  ４４  充電池，  ４５  通信アンテナ，  ４６  通信部，  ４７  コンテンツ記憶部，  ４８  操作部，  ４９  出力部，  ５０  制御情報記憶部，  ５１  制御部
【図１】
0005124991.tif 000002
【図２】
0005124991.tif 000003
【図３】
0005124991.tif 000004
【図４】
0005124991.tif 000005
【図５】
0005124991.tif 000006
【図６】
0005124991.tif 000007
【図７】
0005124991.tif 000008
【図８】
0005124991.tif 000009
【図９】
0005124991.tif 000010